(57)【要約】【課題】  初心者でも簡単にアオリ撮影と同等の自然な画像が得られるアオリ撮影方法及びアオリ撮影可能なカメラを得る。【解決手段】自動焦点調節装置を備えたデジタルカメラの撮影方法であって、撮影画面内を複数の領域に分割設定する分割領域設定段階と、各分割設定した領域の撮影距離を設定する撮影距離段階と、前記自動焦点調節装置を前記設定した撮影距離に合焦させて撮影する処理を順番に繰り返す撮影段階と、前記撮影した各画像から、焦点調節した分割領域の画像を切り出して合成する段階を含む。【選択図】図３
2010210671.tif 000002
【特許請求の範囲】
【請求項１】
自動焦点調節装置を備えたデジタルカメラの撮影方法であって、
撮影画面内を複数の領域に分割設定する分割領域設定段階と、
各分割設定した領域の撮影距離を設定する撮影距離段階と、
前記自動焦点調節装置を前記設定した撮影距離に合焦させて撮影する処理を順番に繰り返す撮影段階と、を有することを特徴とするアオリ撮影方法。
【請求項２】
請求項１記載のアオリ撮影方法において、前記撮影段階終了後、前記撮影した各画像から、焦点調節した分割領域の画像を切り出して合成する段階を含むアオリ撮影方法。
【請求項３】
請求項１または２記載のアオリ撮影方法において、上記分割領域設定段階は、複数の分割領域パターンの中から選択するパターン選択段階を含むアオリ撮影方法。
【請求項４】
請求項１乃至３のいずれか一項記載のアオリ撮影方法において、上記撮影距離設定段階は、前記分割領域設定段階で設定された各分割領域について撮影距離を選択する撮影距離選択段階を含むアオリ撮影方法。
【請求項５】
請求項４記載のアオリ撮影方法において、上記撮影距離は、予め設定された撮影距離の中から選択するアオリ撮影方法。
【請求項６】
請求項１乃至５のいずれか一項記載のアオリ撮影方法において、前記各分割領域の撮影距離は、他の一の撮影距離における被写界深度と一部重なるように設定されているアオリ撮影方法。
【請求項７】
請求項１乃至６のいずれか一項記載のアオリ撮影において、上記撮影段階では、近距離側の撮影距離から遠距離側の撮影距離の順に合焦させて撮影するアオリ撮影方法。
【請求項８】
撮影画面内を所定の複数の領域に分割し各分割領毎に異なる撮影距離を設定するアオリ撮影用パターンが複数用意されていて、これら複数のアオリ撮影用パターンから１つを選択する選択手段；
選択されたアオリ撮影用パターンに基づき各分割領域毎に撮影距離を設定するとともに、前記撮影距離の被写体に対して合焦制御をする合焦手段；
前記分割領域毎に前記合焦制御をして前記各領域分割数分撮影動作を実行する撮影動作制御手段；及び
撮影動作後、前記選択されたアオリ撮影パターンの分割領域毎に撮影画像の切り出し及び合成処理を行って撮影画像を生成する画像処理手段；を有することを特徴とするアオリ撮影可能なカメラ。
【請求項９】
請求項８記載のアオリ撮影可能なカメラにおいて、
さらに表示手段及び操作手段を有し、
前記選択手段は、複数のアオリ撮影用パターンによる撮影画像を想定した表示パターンを前記表示手段上に表示する一方、前記操作手段により任意のアオリ撮影パターンが１つ選択可能であり、かつ選択されたアオリ撮影パターンにおいて、各分割領域毎に前記撮影距離を設定可能であるアオリ撮影可能なカメラ。
【発明の詳細な説明】
【技術分野】
【０００１】
本発明は、いわゆるアオリ撮影と同等の撮影効果が簡単に得られるアオリ撮影方法及びアオリ撮影可能なカメラに関する。
【背景技術】
【０００２】
従来、プロカメラマンがビューカメラを使用して、撮影レンズと撮像面を傾ける、つまり撮影レンズ光軸に対して撮像面が直交しないようにすることで、カメラと平行ではないピント面にして、深い深度又は浅い深度にして撮影していた。しかし、このアオリ撮影は熟練を要し、初心者にとっては困難であった。
かかる課題を解決する従来技術として、撮影者が撮像面を傾斜させなくてもアオリ撮影効果が得られるカメラとして、ブラケット撮影した画像に合成用データを付加し、合成用データに基づいて複数画像を構成するものが知られている（特許文献１）。
【先行技術文献】
【特許文献】
【０００３】
【特許文献１】特開平８−１４００２５号公報
【発明の概要】
【発明が解決しようとする課題】
【０００４】
しかしながら従来技術は、ブラケット撮影した画像に合成用データを付加して合成するので、合成後の画像が不自然な画像となり、実用的ではなかった。
【０００５】
本発明は、初心者でも簡単にアオリ撮影と同等の自然な画像が得られるアオリ撮影方法及びアオリ撮影可能なカメラを得ることを目的とする。
【課題を解決するための手段】
【０００６】
上記の課題を解決するために、本発明は、自動焦点調節装置を備えたデジタルカメラの撮影方法であって、撮影画面内を複数の領域に分割設定する分割領域設定段階と、各分割設定した領域の撮影距離を設定する撮影距離段階と、前記自動焦点調節装置を前記設定した撮影距離に合焦させて撮影する処理を順番に繰り返す撮影段階と、を含むことに特徴を有する。
【０００７】
実際的には、前記撮影段階終了後、前記撮影した各画像から、焦点調節した分割領域の画像を切り出して合成する段階を含む。
【０００８】
上記分割領域設定段階は、複数の分割領域パターンの中から選択するパターン選択段階を含むことが好ましい。
上記撮影距離設定段階は、前記分割領域設定段階で設定された各分割領域について撮影距離を選択する撮影距離選択段階を含むことできる。
上記撮影距離は、予め設定された撮影距離の中から選択することが好ましい。この場合、分割領域の撮影距離を、他の一の撮影距離における被写界深度と一部重なるように設定することがより好ましい。
【０００９】
上記撮影段階では、近距離側の撮影距離から遠距離側の撮影距離の順に合焦させて撮影する。
【００１０】
上記アオリ撮影方法によるアオリ撮影が可能なカメラに関する発明は、撮影画面内を所定の複数の領域に分割し各分割領毎に異なる撮影距離を設定するアオリ撮影用パターンが複数用意されていて、これら複数のアオリ撮影用パターンから１つを選択する選択手段；選択されたアオリ撮影用パターンに基づき各分割領域毎に撮影距離を設定するとともに、前記撮影距離の被写体に対して合焦制御をする合焦手段；前記分割領域毎に前記合焦制御をして前記各分割領域分割数分撮影動作を実行する撮影動作制御手段；及び撮影動作後、前記選択されたアオリ撮影パターンの分割領域毎に撮影画像の切り出し及び合成処理を行って、撮影画像を生成する画像処理手段；を有することに特徴を有する。
【００１１】
好ましくは、さらに表示手段及び操作手段を有し、前記選択手段は、複数のアオリ撮影用パターンによる撮影画像を想定した表示パターンを前記表示手段上に表示する一方、前記操作手段により任意のアオリ撮影パターンが１つ選択可能であり、かつ選択されたアオリ撮影パターンにおいて、各分割領域毎に前記撮影距離を設定可能とする。
【発明の効果】
【００１２】
以上、アオリ撮影方法に関する本発明は、設定された分割領域毎に異なる撮影距離で撮影するので、各分割領域の被写体に対して合焦状態の画像を得ることができる。さらに撮影した各画像から焦点調節した分割領域の画像を切り出して合成することで、１回の撮影では合焦させることができない被写体に対して、合焦状態の画像を得ることができる。
アオリ撮影可能なカメラに関する発明によれば、分割領域毎に異なる撮影距離で撮影し、各合焦させた分割領域から撮影画像を切り出して合成した撮影画像が生成されるので、撮影するだけで簡単にアオリ撮影画像が得られる。
【図面の簡単な説明】
【００１３】
【図１】本発明のアオリ撮影方法を適用したデジタル一眼レフカメラの実施形態を後方から見た斜視図である。
【図２】同デジタル一眼レフカメラの主要回路構成を示す回路図である。
【図３】同デジタル一眼レフカメラにおいて、アオリ撮影するパターン例を示す図である。
【図４】同デジタル一眼レフカメラにおいて、アオリ撮影モードのパターンを選択する画面の例を示す図である。
【図５】同デジタル一眼レフカメラにおいて、アオリ撮影モードにおける分割領域、撮影距離設定方法を説明する画面の例を示す図である。
【図６】同デジタル一眼レフカメラにおいて、アオリ撮影モードにおける分割領域、撮影距離設定方法を説明する画面の例を示す図である。
【発明を実施するための形態】
【００１４】
以下本発明の実施形態について、添付の図面を参照して詳細に説明する。図１は、本発明のアオリ撮影方法によるアオリ撮影が可能なカメラを適用したデジタル一眼レフカメラの実施形態を後方から見た斜視図である。
【００１５】
このデジタル一眼レフカメラは、カメラボディ１０に、交換レンズ１１１が着脱自在に装着されている。カメラボディ１０を背面から見たとき、カメラボディ１０の上部の中央には光学ファインダ１１が設けられ、背面１２の略中央には液晶パネル（画像表示装置）４６が設けられている。液晶パネル４６には、撮影された動画や静止画像等が表示される。液晶パネル４６の横には、十字スイッチ１３が設けられ、十字スイッチ１３の下方に、デリートスイッチ１４及びメニュースイッチ１５が設けられている。十字スイッチ１３は、各種の動作モード、パラメータ等を設定する機能を有し、デリートスイッチ１４は、撮影した又はメモリに書き込んだ画像データを消去する機能を有し、メニュースイッチ１５は撮影機能を選択する機能を有する。
【００１６】
カメラボディ１０の上部の右側にはシャッタボタン１６及びサブディスプレイ５６が設けられている。サブディスプレイ５６は液晶表示素子から構成され、このサブディスプレイ５６にはデジタルカメラの種々の設定状態が文字又は記号として表示される。シャッタボタン１６を半押しすることによって、測光、ＡＦ等が行われ、全押しすることによって撮影が行われて静止画が画像メモリに書き込まれると共に液晶パネル４６に表示される。
【００１７】
カメラボディ１０の側面にはメモリカードスロット１７が設けられている。メモリカードスロット１７の内部にはメモリカードが装着されるカードコネクタ４７（図２参照）が設けられている。
【００１８】
図２は、本発明を適用したデジタル一眼レフカメラの主に電気的構成を示すブロック図である。このデジタル一眼レフカメラはレンズ交換式であって、カメラボディ１０に、交換レンズ１１１が着脱自在に装着される。また、このデジタル一眼レフカメラの撮影動作、画像処理は、マイコンを備えたシステムコントローラ３１によって制御される。すなわち、システムコントローラ３１の制御により、動画又は静止画撮影し、撮影した画像を液晶パネル４６に動画あるいは静止画として表示され、またフラッシュメモリカードに静止画が記録される。
【００１９】
交換レンズ１１１の電気回路はマウントピン１１２、１１３、１１４を介して、カメラボディに搭載された電気回路に電気的に接続される。交換レンズ１１１のレンズ鏡筒内には、ズーム撮影光学系である複数のレンズ群が設けられているが、図では前群レンズ１１５及び後群レンズ１１６のみ示した。これらのレンズ１１５、１１６の間には絞り１１７が設けられている。各レンズ１１５、１１６に対する焦点調節動作はレンズ制御回路１１８によって行われ、ズーミング動作はズームモータ１１９によって行われる。レンズ制御回路１１８とズームモータ１１９は、カメラボディ１０内に設けられたシステムコントローラ３１からマウントピン１１３、１１４を介して送られてくる制御信号に従って動作する。絞り１１７は、カメラボディ内に設けられた絞り駆動回路３２からマウントピン１１２を介して送られる制御信号に従って動作し、絞り１１７の開度が調節される。絞り駆動回路３２はシステムコントローラ３１によって制御される。
【００２０】
カメラボディ内には、レンズ１１５、１１６の光軸上に、メインミラー２１が設けられている。メインミラー２１は、図示された観察位置（傾斜状態）と上方へ回動した撮影位置（水平状態）との間において回転移動自在である。レンズ１１５、１１６を透過し、メインミラー２１で反射した被写体光が進む上方にはフォーカシングスクリーン２２が設けられ、フォーカシングスクリーン２２の上方にはペンタプリズム２３が設けられている。ペンタプリズム２３に入射した被写体光が射出するペンタプリズム２３の後方に接眼レンズ２４が配設されている。
【００２１】
ミラー２１の後方にはフォーカルプレーンタイプのシャッタ２５が設けられ、シャッタ２５の後方に赤外カットフィルタ２６、光学ローパスフィルタ２７及びＣＣＤタイプの撮像素子３３が設けられている。撮像素子３３は、その受光面３３ａが設計上の合焦位置と一致し、レンズ１１５、１１６の光軸Ｏが受光面３３ａと直交し、かつ中心を通るように配置されている。つまりこの撮像素子３３の受光面３３ａには、光軸Ｏと直交する平面内の被写体が合焦状態で結像するように焦点調節され、このとき前記平面内の被写体よりも前後の被写体はデフォーカス状態となる。
【００２２】
ミラー２１のアップダウンはミラー駆動回路３４によって制御され、シャッタ２５の開閉はシャッタ駆動回路３５によって制御される。ミラー駆動回路３４とシャッタ駆動回路３５はシステムコントローラ３１によって制御される。
【００２３】
ミラー２１は、通常ダウン位置に保持されていて、交換レンズ１１１から取り込まれた被写体光をフォーカシングスクリーン２２方向に導く。フォーカシングスクリーン２２は撮像素子３３の受光面３３ａ（撮像面）と光学的に等価な位置に配置されており、使用者は接眼レンズ２４、ペンタプリズム２３を介してフォーカシングスクリーン上の光学像を観察画像として視認することで、撮像素子３３の受光面３３ａ上に形成されるであろう被写体像（焦点調節状態）をモニタできる。このときシャッタ２５は閉じており、交換レンズ１１１から撮像素子３３に向かう光路は閉鎖されている。
【００２４】
撮影の際は、ミラー２１がミラー駆動回路３４の制御により回動して撮影位置にアップされ、フォーカシングスクリーン２２を塞いだ水平状態となる。このミラー２１のアップが終了すると、シャッタ２５がシャッタ駆動回路３５の制御により開放され、交換レンズ１１１によって被写体光が撮像素子３３の受光面３３ａに照射される。すなわち、撮像素子３３の受光面３３ａにはレンズ１１５、１１６によって被写体像が形成され、画像に対応した撮像信号が生成される。なお、ミラー２１のアップとともに、絞り駆動回路３２によって交換レンズ１１１の絞り１１７が所定絞り値まで絞り込も制御される。
【００２５】
システムコントローラ３１にはパルス信号発生回路（ＰＰＧ）３６が接続され、パルス信号発生回路３６はシステムコントローラ３１の制御によって種々のパルス信号を発生する。これらのパルス信号に基づいて、ＣＣＤ駆動回路３７とＡ／Ｄ変換器３８と画像信号処理回路３９とが駆動され、ＣＣＤ駆動回路３７により撮像素子３３の動作が制御される。すなわち、撮像素子３３から読み出された撮像信号は、Ａ／Ｄ変換器３８によってデジタル信号に変換され、画像信号処理回路３９において、所定の画像処理を施される。画像信号処理回路３９には、１フレーム分以上のデジタル画像データを格納するために十分な容量を有する画像バッファメモリ４０が接続されている。
【００２６】
また画像信号処理回路３９には、モニタＩ/Ｆ４１とカードＩ/Ｆ４２とが接続されている。
【００２７】
モニタＩ/Ｆ４１には、液晶駆動回路４４を介して液晶パネル４６が接続されている。液晶パネル４６には、画像バッファメモリ４０から読み出された画像データに基づいて液晶駆動回路４４が制御され、静止画像が表示される。メモリカードＩ/Ｆ４２にはカードコネクタ４７が接続され、カードコネクタ４７にはフラッシュメモリカード４３が着脱自在に装着される。
【００２８】
システムコントローラ３１にはＡＦセンサ５１と測光センサ５２とオートホワイトバランス（ＡＷＢ）センサ５３が接続されている。レンズ１１５、１１６の焦点状態はＡＦセンサ５１によって測定され、被写体輝度が測光センサ５２によって測定され、周囲光の色温度がオートホワイトバランスセンサ５３によって測定される。なお、ＡＦセンサ５１は、図示しないが、メインミラー２１の半透明部分を透過し、メインミラー２１の背後に設けられたサブミラーで下方に反射された被写体光を受光する位置に設けられていて、いわゆる位相差方式によってデフォーカス量を測定する。測光センサ５２及びオートホワイトバランスセンサ５３は接眼レンズ２４近傍に配置されており、ペンタプリズム２３を介してフォーカシングスクリーン２２上の光学像を受光する。
【００２９】
さらにシステムコントローラ３１には、測光スイッチ５４及びレリーズスイッチ５５が接続されている。測光スイッチ５４及びレリーズスイッチ５５はシャッタボタン１６に連動していて、シャッタボタン１６の半押しで測光スイッチ５４がオン状態となり、シャッタボタン１６の全押しで、測光スイッチ５４がオン状態を維持してレリーズスイッチ５５がオンする。測光スイッチ５４がオンすると、ＡＦセンサ５１によって測定した焦点状態に基づいてレンズ制御回路１１８を駆動する合焦処理を行うとともに、測光センサ５２によって測光を行う。レリーズスイッチ５５がオンすると撮像処理が行われる。つまり、ミラー駆動回路３４によってミラー２１がアップされ、絞り駆動回路３２によって絞り１１７が所定値まで絞り込まれ、シャッタ２５が開閉駆動されて撮像素子３３が露光され、撮像素子３３が駆動制御されて、撮像素子３３から露光した画像に対応した撮像信号が出力される。
【００３０】
さらに、システムコントローラ３１には、十字スイッチ１３、デリートスイッチ１４及びメニュースイッチ１５によって操作されるスイッチが接続されている。十字スイッチ１３は上下左右及び中央にスイッチを備えたいわゆる十字キースイッチ１３である。この実施形態では、十字スイッチ１３の左右部分（矢印部分）を押すと左右スイッチ１３Ｌ、１３Ｒがオンしてモードが選択され、選択されたモードが液晶パネル４６に表示される。液晶パネル４６に表示されたモードにおいて、十字スイッチ１３の上下部分（矢印部分）を押すと上下スイッチ１３Ｕ、１３Ｄがオンして、そのモードで設定可能な変数が変更される。さらに十字スイッチ１３の中央部分（ＯＫ部分）を押すとＯＫスイッチ１３Ｃがオンして、液晶パネル４６に表示されたモード、変数が設定され、また確定される。デリートスイッチ１４、メニュースイッチ１５にはそれぞれ、デリートスイッチ１４、メニュースイッチ１５が連動していて、デリートスイッチ１４、メニュースイッチ１５が押されるとオンする。
【００３１】
この実施形態はアオリ撮影モードを備えているが、このアオリ撮影モードは十字スイッチ１３の操作により選択される。アオリ撮影モードは撮影モードの一つであって、撮影モードとしては他に、プログラム撮影モード（Ｐモード）、接写撮影モード、動画撮影モードなどがある。
【００３２】
この実施形態のアオリ撮影モードは、撮影画面を複数の分割領域に分けて、分割領域毎に合焦させて撮影する、いわゆるフォーカスブラケット撮影を実行して画像データを記録し、その後、複数の画像データから合焦させた分割領域を切り出して合成画像データを作成する処理である。以下、このアオリ撮影について、図３乃至図６を参照して詳細に説明する。
【００３３】
図３には、９種類の想定シーンに適したアオリ撮影パターンを示してある。各アオリ撮影パターンは、撮影画面を４個の分割領域１乃至４に分割して、各分割領域１乃至４に合焦させて４回のフォーカスブラケット撮影を実施するものである。この実施形態では、最も近距離を最近分割領域１とし、最も遠距離を最遠分割領域４として、その間の２つの分割領域を、最近分割領域１に近い側を中近分割領域２とし、最遠分割領域４に近い側を中近分割領域３とする。
【００３４】
図３（Ａ）のアオリ撮影パターンは、撮影画面中央の最遠分割領域４の中心から最外周の最近分割領域１に向かって、放射状に被写体が近くなるシーンを想定している。
【００３５】
図３（Ｂ）のアオリ撮影パターンは、画面の下半分を水平方向に等分割してある。画面上半分の最遠分割領域４から下方の分割領域３、２、１に従って被写体がカメラに近くなるシーンを想定している。
【００３６】
図３（Ｃ）のアオリ撮影パターンは画面左下の分割領域から右上方向分割領域に向かって被写体が遠くなることを想定していて、各分割領域１乃至４の撮影距離を任意設定できる。
【００３７】
図３（Ｄ）のアオリ撮影パターンは画面中央左半分を垂直方向に略等分割してある。画面右半分の最遠分割領域４から左方向の分割領域３、２、１に従って被写体がカメラに近くなるシーンを想定している。
【００３８】
図３（Ｅ）のアオリ撮影パターンは画面中央領域から左右に垂直方向に等分割してある。画面中央の最遠分割領域４から左右方向の分割領域３、２、１に従って被写体がカメラに近く、迫ってくるシーンを想定している。
【００３９】
図３（Ｆ）のアオリ撮影パターンは（Ｄ）のアオリ撮影パターンを左右反転させてあって、画面中央右半分を垂直方向に略等分割してある。画面左半分の最遠領域４から右方向の領域３、２、１に従って被写体がカメラに近くなるシーンを想定している。
【００４０】
図３（Ｇ）のアオリ撮影パターンは画面左から右方向に垂直方向に分割してある。画面左の最近領域１から右方向の分割領域２、３、４に従って被写体が遠くなるシーンを想定している。
【００４１】
図３（Ｈ）のアオリ撮影パターンは画面下か上方に水平に分割してある。画面下の最近分割領域１から上方向の分割領域２、３、４に従って被写体がカメラから遠くなるシーンを想定している。
【００４２】
図３（Ｉ）のアオリ撮影パターンは図３（Ｇ）のアオリ撮影パターンを左右反転したパターンであって、分割領域を画面右から右左方向に垂直方向に分割してある。画面右の最近分割領域１から左方向の分割領域２、３、４に従って被写体がカメラから遠くなるシーンを想定している。
【００４３】
なお、図３（Ｂ）、（Ｄ）乃至（Ｉ）において、画面中に示した台形は、長方形の被写体を撮影した場合に、そのように写るであろうと想定したシーンを示しており、ユーザーはどのアオリ撮影パターンを選択したらよいのかを視覚的に容易に理解できる。
【００４４】
『アオリ設定』
アオリ撮影パターンの選択操作方法について、以下説明する。
(1)先ず、液晶パネル４６に撮影モード選択画面を表示させて、十字スイッチ１３の左右スイッチ１３Ｌ、１３Ｒを操作してアオリ撮影モードを選択する画面を表示させ、ＯＫスイッチ１３Ｃを押して選択する。アオリ撮影モードが選択されると、液晶パネル４６の表示はアオリ設定画面に切り替わる（図４）。この実施例では、９種類のアオリ撮影パターンが表示されている。
【００４５】
(2)使用者は、これらのアオリ撮影パターンの中から、十字スイッチ１３の上下スイッチ１３Ｕ、１３Ｄを操作して希望するアオリ撮影パターンを選択する。選択されたアオリ撮影パターンはハイライト表示される（図４）。この実施例では、右上のユーザー設定アオリ撮影パターンが選択され、ハイライト表示されている。
【００４６】
(3)ユーザー設定アオリ撮影パターンがハイライト表示された状態でメニュースイッチ１５をＯＮ操作すると、液晶パネル４６の表示は詳細設定画面に切り替わる(図４）。なお、他のアオリ自動設定撮影パターンが選択された状態（ハイライト表示された状態）でメニュースイッチ１５を押すと、液晶パネル４６の表示が次ページ画面に切り替わる。ここでは、選択されたアオリ撮影パターンの表示画面に切り替わる。
【００４７】
(4)ＯＫスイッチ１３ＣをＯＮ操作すると、選択されたアオリ撮影パターンによる撮影状態になる。
【００４８】
以上、本発明の実施形態においてアオリ撮影パターン、撮影距離を予め設定しているのは、以下の理由による。本発明のアオリ撮影は、特に広い範囲の風景撮影において、デジタルカメラを三脚に固定して多数回の連続撮影を想定している。広い範囲の風景撮影の場合、往々にして、撮影に無関係な人物が画面内に入り込むことがある。このような状況下において、ＡＵＴＯＡＦモードでは通行人にピントが設定されて、風景にピントが合わないことがある。かかる事情から、デジタルカメラを三脚に固定し、距離の変化しない風景を撮るためには、マニュアル設定する方が好ましいので、自動設定にはしていない。なお、動物、通行人、通過車両などを含めて風景撮影したい場合は、自動設定としてもよい。
【００４９】
『アオリ詳細設定（撮影距離マニュアル設定）』
次に、ユーザー設定アオリ撮影パターンにおいて、各分割領域の撮影距離を設定する操作について説明する。このアオリ設定画面には、階段状に分割された４個の分割領域が表示されている。
(2-1)アオリ設定画面表示において、アオリ撮影ステップ数を左、右スイッチ１３Ｌ、１３ＲのＯＮ操作で設定する（図５（Ａ））。
(2-2)上、下スイッチ１３Ｕ、１３Ｄ（下スイッチ１３Ｄ）のＯＮ操作により下段に移動し、ステップ１の距離を設定する。
(2-3)同様に上、下スイッチ１３Ｕ、１３ＤのＯＮ操作で下段に移動してステップ２、３、４の距離を設定する。
(2-4)メニュースイッチ１５のＯＮ操作により分割領域設定ステップに進む。
【００５０】
分割領域設定ステップでは、前回の設定された状態が表示され、さらに「画面の一部修正を修正する→ＯＫスイッチ、新規パターンを設定する→ＤＥＬスイッチ」と表示される（図５（Ｂ））。使用者は一部修正又は新規のいずれかを選択する。つまり、ＯＫスイッチ１３Ｃ又はＤＥＬスイッチ１４のいずれかをＯＮ操作する。ここでは、新規パターンを設定するためにＯＫスイッチ１３ＣをＯＮ操作したものとする。ＯＫスイッチ１３ＣがＯＮ操作されると、最近分割領域１の番号が点滅表示される。
【００５１】
(3-1)最近分割領域１に設定したい分割領域を十字スイッチ１３で選択する（図５（Ｂ））。
(3-2)ＯＫスイッチ１３Ｃで確定する。
(3-3)修正する場合は、ＤＥＬスイッチを押しながらＯＫスイッチ１３Ｃを押して取消して上記(3-1)に戻り、(3-1)、(3-2)の操作を繰り返して最近分割領域１に設定したい分割領域を選択する。
(3-4)メニュースイッチ１５で次のステップ（２番目に近い中近分割領域２に設定したい分割領域選択）へ進む。
【００５２】
(4-1)中近分割領域２にしたい分割領域を十字スイッチ１３で選択する（図５（Ｃ））。
(4-2)望む分割領域を中近分割領域２に設定できた場合はＯＫスイッチ１３Ｃで確定する。
(4-3)中近分割領域２を設定する分割領域を修正する場合は、ＤＥＬスイッチを押しながらＯＫスイッチ１３Ｃを押して取消して上記(4-1)に戻り、(4-1)、(4-2)の操作を繰り返す。
(4-4)メニュースイッチ１５で次のステップ（中近分割領域２の次に遠い中遠分割領域３に設定したい分割領域選択）へ進む。
【００５３】
(5-1)中遠分割領域３に設定したい分割領域を十字スイッチ１３で選択する（図６（Ａ））。
(5-2)望む分割領域を中遠分割領域３に設定できた場合はＯＫスイッチ１３Ｃで確定する。
(5-3)中遠分割領域３に設定する分割領域を修正する場合は、ＤＥＬスイッチ１４を押しながらＯＫスイッチ１３Ｃを押して取消して上記(5-1)に戻り、(5-1) 、(5-2)の操作を繰り返す。
(5-4)中遠分割領域３の設定が終了すると、メニュースイッチ１５をＯＮ操作して次のステップ（最遠分割領域４に設定したい分割領域選択）へ進む。
【００５４】
(6-1)残りは最も遠い最遠分割領域４になる（図６（Ｂ））。
(6-2)望む分割領域を最遠分割領域４に設定できた場合はＯＫスイッチ１３Ｃで確定し、撮影モードへ進む。
(6-3)最遠分割領域４に設定する分割領域を修正する場合は、ＤＥＬスイッチ１４を押しながらＯＫスイッチ１３Ｃで取り消して上記(6-1)に戻り、(6-1)、(6-2)の操作を繰り返す。
(6-4)全体を修正する場合は、メニュースイッチ１５をＯＮ操作して最近分割領域１設定処理(3-1)に戻る。
【００５５】
『最適ピント位置（撮影距離）の計算』
画面中央が∞で下端が最近の場合（図３（Ｂ）のアオリ撮影シーン）の計算方法を以下説明する。
撮像素子３３はサイズが種々存在するので、３５mmフルサイズに換算して説明する。交換レンズ１１１の焦点距離ｆ、被写体の高さ（被写体高）ｈは以下の通りとする。
ｆ＝28mm
1/ｆ＝0.035714
ｈ＝1.5m
【００５６】
以上の条件で、最遠分割領域４における上下方向の画角θを求める。最遠位置（∞）の場合、交換レンズ１１１の焦点距離ｆが28mm、撮像素子３３の受光面３３ａの下端は中心から12mmであるから上下方向の画角θは、
θ＝arctan(12／28)＝32  (゜)
となる。
【００５７】
光軸Ｏの延長上に立つ、被写体高ｈが1.5mの被写体の上端（被写体像としては下端）が受光面３３ａの下端に写るときの距離Ｌは、
Ｌ＝1.5×tanθ＝3.5
となり、距離3.5mに位置する被写体高ｈが1.5mの被写体の上端が受光面３３ａの下端に写ることになる。
このとき、距離3.5mの被写体の像の焦点位置ａは、
1／ｆ＝ 1／ａ＋ 1／ｂ  より、
ａ＝ 1／（ 1／28− 1／（3.5×1000））＝28.226  (mm)
となる。∞（中央）の場合の焦点位置（焦点距離）ｆは28mm  なので、ピント差ｆdは0.226mm  となる。
【００５８】
このピント差ｆdを４ステップに振り分けるためにピント差ｆdの 1/8を求めると、0.028mmとなる。焦点位ｆがこの 1／8ステップに相当する撮影距離及び画面位置を求めると、表１となる。すなわち、各分割領域を 1／4ステップに対応した位置（距離）に設定し、その間のステップ位置にピントを設定すると、ピントの誤差が最小（この場合0.028mm）となる。そうしてこの実施形態では撮影距離を、最遠分割領域４では27.8m、中遠分割領域３では9.3m、中近分割領域２では5.6m、最近分割領域１では4.6m  に設定し、各撮影距離で撮影する。
他のアオリ撮影パターンの場合も上記同様に計算され、各分割領域１乃至４の撮影距離が設定されている。
【００５９】
分割領域１乃至４について設定した、撮影距離、光線角度、水平面との交点距離ｄ、ピント位置ｆ、ピント誤差ｆｄの例を表１に示した。表１は図３（Ｂ）の下半分を下から上方向に遠くなるように水平分割するパターンの場合の例である。
なお、「像の位置」は、無限遠被写体に対して合焦させた状態を基準として、被写体が所定の距離（水平面との交点距離ｄ（m））に位置した場合の結像位置のずれ、
光線角度は上下方向の最大入射角（上下方向の半画角）、
ピント位置は、交点距離ｄに合焦させた場合のピント位置（結像位置）、
ピント誤差は、所定の交点距離ｄに合焦させた場合のピント誤差（結像位置誤差）である。
【００６０】
＜表１＞
2010210671.tif 000003
全画角のピント差     ｆd＝0.226
均等割り  ｆd／8＝0.028
【００６１】
この実施形態では、最遠分割領域４の撮影距離は27.8メートル、中遠分割領域３の撮影距離は9.3メートル、中近分割領域２の撮影距離は5.6メートル、最近分割領域１の撮影距離は4.0メートルに設定してある。したがって、最遠分割領域４では、撮影距離27.8メートルの被写体に合焦し、無限遠の被写体は、ピント誤差-0.028mm、撮影距離13.9メートルの被写体はピント誤差0.028mmである。このピント誤差±0.028mmが焦点深度内であれば、各撮影距離の被写体に対して実質的に合焦する。
【００６２】
他のアオリ撮影パターンの場合も、上記同様にして撮影距離を設定することができる。
【００６３】
以上のようにアオリ撮影モードが設定された状態でレリーズスイッチ５５がオンされると、システムコントローラ３１は最初に、最近分割領域１の撮影距離（4.0m）に合焦させてして撮影し、続いて中近分割領域２の撮影距離（5.6m）に焦点調節して撮影し、中遠分割領域３の撮影距離（9.3m）に焦点調節して撮影し、最遠分割領域４の焦点距離（27.8m）に合焦させて撮影する。各撮影画像データは、先ず画像バッファメモリ４０に書き込み、メモリカード４３にも書き込む。そうして４枚のアオリ撮影が終了すると、画像バッファメモリ４０から、アオリ撮影モードで選択さされた分割領域１乃至４に対応する分割領域の画像をそれぞれの撮影画像データから読み出して合成し、合成した画像データをメモリカード４３に書き込んで、アオリ撮影を終了する。近距離から撮影するのは、近距離ほど、被写体の移動、変化が著しいと考えられるからである。
なお、画像の切り出し及び画像合成処理は公知の画像処理アルゴリズムを使用する。
【００６４】
以上、アオリ撮影パターンを図には９種類示したが、図示パターンに限定されない。また、分割領域設定するも４未満でも、５以上でもよい。
各分割領域のピント位置、つまり各撮影距離は、他の一つの撮影距離における被写界深度と一部重複するように設定することが好ましく、より好ましくは、表１に示したように最短分割領域１から最遠分割領域４まで全ての距離の被写体が実質的に合焦するように設定することが好ましい。
【符号の説明】
【００６５】
１０  カメラボディ
１３  十字スイッチ
１４  デリートボタン
１５  メニューボタン
２５  シャッタ
３１  システムコントローラ
３３  撮像素子
４０  画像バッファメモリ
４３  メモリカード
４６  液晶パネル（画像表示装置）
５１  ＡＦセンサ
５２  測光センサ
【図１】
2010210671.tif 000004
【図２】
2010210671.tif 000005
【図３】
2010210671.tif 000006
【図４】
2010210671.tif 000007
【図５】
2010210671.tif 000008
【図６】
2010210671.tif 000009